(57)【要約】【技術課題】中空乾式防火区画において、低コストにより簡単に施工することができると共にモルタルレス、パテレスで施工が可能な措置具を提供する。【解決手段】措置具本体は、一対のフランジ２、３の裏面から互いに対向せしめてスリーブ２ｂ、３ｂを突設すると共にこのスリーブ２ｂ、３ｂの先端を互いにスライド自在に嵌合することができる措置具要素ＡとＢで構成する。前記措置具本体Ａ、Ｂの各フランジ２、３にはスリーブ２ｂ、３ｂ内に続く穴を形成し、この穴には、膜体２ｉ、３ｅが取り付ける。前記措置具要素Ａスリーブ２ｂの先端側にはスリーブ内を仕切る中間仕切膜２ｈ付の熱膨張性部材２ｄを取り付ける。前記措置具要素ＡとＢのスリーブ２ｂ、３ｂを貫通穴内で嵌合し、双方のフランジ２、３間をボルト軸４とナット５で連結する。配管１０及びケーブル１１は、膜体２ｉ、３ｅと中間仕切膜２ｈをカットし、ここに通す。【選択図】        図  １
2005027684.tif 000002
【特許請求の範囲】
【請求項１】
措置具本体は、一対のフランジの裏面から互いに対向せしめてスリーブを突設すると共にこのスリーブの先端側を互いに伸縮自在に嵌合することができるように形成された金属性の措置具要素ＡとＢで構成されていること、この措置要素において、内側に入るスリーブの内面には、熱膨張性部材が装着されていること、を特徴とする中空乾式防火区画用防火措置具。
【請求項２】
請求項１において、嵌合された内外のスリーブの間には熱膨張部材が挿入されていることを特徴とする中空乾式防火区画用防火措置具。
【請求項３】
請求項１において、スリーブの内面に装着された熱膨張性部材の先端側を、スリーブの先端から露出させたことを特徴とする中空乾式防火区画用防火措置具。
【請求項４】
請求項１において、フランジの裏側には熱膨張性部材で形成されたパッキンが装着されていることを特徴とする中空乾式防火区画用防火措置具。
【請求項５】
請求項１において、フランジ又はスリーブの入口には、熱膨張性部材で形成された遮閉膜体が取り付けられていることを特徴とする中空乾式防火区画用防火措置具。
【請求項６】
請求項５の遮閉膜体の中央には、配管、ケーブルの挿入口又はスリットが形成されていることを特徴とする中空乾式防火区画用防火区画措置具。
【請求項７】
請求項１において、措置具要素ＡとＢのスリーブは、スライド方式又は螺施ねじで伸縮自在に嵌合されていることを特徴とする中空乾式防火区画用防火区画措置具。
【請求項８】
請求項１において、措置要素ＡとＢは、ボルト軸とナットで連結されることを特徴とする中空乾式防火区画用防火区画措置具。
【請求項９】
請求項１において、措置要素ＡとＢは、スプリング付の締め付けバンドで連結されていることを特徴とする中空乾式防火区画用防火区画措置具。
【請求項１０】
請求項１において、措置要素ＡとＢは、スリーブの外周面の一部に取り付けた返しで取り付けた防火区画の貫通穴から抜けないように構成されていることを特徴とする中空乾式防火区画用防火区画措置具。
【発明の詳細な説明】
【０００１】
【発明の属する技術分野】
本発明は、中空乾式防火区画用措置具（装置）に関し、更に詳しくは、中空乾式防火区画を貫通する穴内において、配管やケーブル等の防火措置を行い、且つ貫通穴に装着されるスリーブも兼ねる措置具に関する。
【従来の技術】
平成１２年６月１日に施行された、改正建築基準法では、中空壁を配管等が貫通する場合の貫通部防火措置について、公的な耐火性能試験の実施が認められ、これを満たすものは、国土交通大臣の認定工法として施工できることになったが、改正前の建築基準法の下では、運用上、「建築設備設計・施工上の指導指針−１９９５年度板（建設省住宅局建築指導課監修）」及び「東京都建築設備行政に関する設計・施工上の指針（１９９７年度版）：東京都建築設備行政連絡協議会監修」において、適用構造を図示の上、コンクリート壁で評定を受けた工法に準拠して施工を行うことで防火上支障無いものとして取り扱われてきた。
しかし、このような特例で認められた場合があっても次のような問題が有った。
１．改正後間もない為、公的な耐火性能試験を満たす適切な防火区画貫通措置部材が無かった。このため、貫通部防火措置部から前後１ｍを鋼製スリーブを貫通させる従来工法になり、施工上多大なスペースが必要であった。
２．中空壁は、石膏ボードのような乾式の耐火壁材でできており、耐荷重の制限があり、重量の有る鋼製スリーブが取り付けられないことがあった。
３．運用上の取り扱いでは、炎を中空壁内部に入れないように中空壁内部と貫通部防火措置部を鋼材等により仕切る必要があるが、これにより壁厚ごとにスリーブが必要であったり、壁の外側にスリーブがはみ出たりしていた。
４．湿式壁用では、特開平７−１４５８８２号公報に、中間でスライド調整可能な貫通用スリーブが提案されているが、この場合壁厚ごとの幅調整は可能であるが、防火措置は、このスリーブ内で別に行わなければならなかった。
５．中空壁と貫通部防火措置部は、耐火性能を有する目地材などにより隙間を埋める必要があった（作業に手間がかかった）。
６．基本的に、乾式壁施工後の、取り付けとなる為、穴あけ等の手間がかかった。
【０００２】
以上の如き問題点を前提として、現在行われている措置例の代表的なものを図１０（Ａ）（Ｂ）に示す。図１０において、（Ａ）は、ケーブル配線（ケーブルラック）の防火区画（中空壁）貫通部の措置例である。この図１０（Ａ）において、４００は、石膏ボード４０１、４０２間に中空部４０３を形成した乾式の防火区画であって、この区画４００にケーブル４１１を貫通させる場合には、先ず防火区画４００に貫通穴４０４をあけてこの貫通穴４０４内に金属製の貫通枠（スリーブ）４０５を通し、この貫通枠４０５を壁の両側から耐火仕切版４０６、４０７及び締結ボルト軸４０８、ナット４０９で固定し、その上でケーブル４１１を耐火仕切板４０６、４０７及び貫通枠４０５内に通し、耐熱シール材４１０で耐火仕切枠４０６、４０７とケーブル４１１間の隙間のシールドを行い、併せてケーブル４１１の固定を行うものである。図中４１２は貫通枠４０５内に装入された耐火充填材である。
一方図１０（Ｂ）は、防火区画４００に金属製の配管４１５を貫通させる場合の例であって、この措置例は、防火区画４００に設けた貫通穴４０４内に直接配管４１２を通し、両側の入口部分の隙間を耐熱シール材４１０でシールドを行い、併せて配管４１２の固定を行うものである。
【０００３】
しかし、この図１０（Ａ）に示した措置例においては、貫通穴４０４とボード４０１、４０２間及び耐火仕切板４０６、４０７とボード４０１、４０２間はシールドされていないため、この間から中空部４０３内に煙や有害ガスが侵入して拡散する心配があると共に、耐熱シール材４１０を現場で充填するため、特に狭い場所においては作業がしにくいと共に、措置に手数と時間がかかるという問題がある。
また、図１０（Ｂ）は、金属配管に適用は出来ても樹脂管及びケーブルには適用できないと共に耐熱シール材４１０の充填に際しては作業性が悪く、手数と時間がかかるという問題がある。
【発明が解決しようとする課題】
本発明は斯る点に鑑みて提案されるものであって、その目的は、中空乾式防火区画において、手軽に、そして安い施工費用で貫通穴内にスリーブを取り付けたり、防火措置を行うことが可能な中空乾式防火区画用防火措置具を提供することである。
【０００４】
【課題を解決するための手段】
上記目的を達成するため、請求項１に記載の発明においては、中空乾式防火区画用防火措置具において、措置具本体は、一対のフランジの裏面から互いに対向せしめてスリーブを突設すると共にこのスリーブの先端側を互いに伸縮自在に嵌合することができるように形成された金属性の措置具要素ＡとＢで構成されていること、この措置要素において、内側に入るスリーブの内面には、熱膨張性部材が装着されていることを特徴とするものである。
【０００５】
更に、請求項２に記載の発明においては、請求項１において、嵌合された内外のスリーブ間には熱膨張部材が挿入されていることを特徴とするものである。
【０００６】
更に、請求項３に記載の発明においては、請求項１において、スリーブの内面に装着された熱膨張性部材の先端側を、スリーブの先端から露出させたことを特徴とするものである。
【０００７】
更に、請求項４に記載の発明においては、請求項１において、フランジの裏側には熱膨張性部材で形成されたパッキンが装着されていることを特徴とするものである。
【０００８】
更に、請求項５に記載の発明においては、請求項１において、フランジ又はスリーブの入口には、熱膨張性部材で形成された遮閉膜体が取り付けられていることを特徴とするものである。
【０００９】
更に、請求項６に記載の発明においては、請求項５の遮閉膜体の中央には、配管、ケーブルの挿入口又はスリットが形成されていることを特徴とするものである。
【００１０】
更に、請求項７に記載の発明においては、請求項１において、措置具要素ＡとＢのスリーブは、スライド方式又は螺施ねじで伸縮自在に嵌合されていることを特徴とするものである。
【００１１】
更に、請求項８に記載の発明においては、請求項１において、措置要素ＡとＢは、ボルト軸とナットで連結されることを特徴とするものである。
【００１２】
更に、請求項９に記載の発明においては、請求項１において、措置要素ＡとＢは、スプリング付の締め付けバンドで連結されていることを特徴とするものである。
【００１３】
更に、請求項１０に記載の発明においては、請求項１において、措置要素ＡとＢは、スリーブの外周面の一部に取り付けた返しで取り付けた防火区画の貫通穴から抜けないように構成されていることを特徴とするものである。
【００１４】
【実施例１】
本発明の実施例を図１〜図６に基づいて詳細に説明する。図１は措置具を分解した状態の一部断面図、図２は熱膨張性部材において、中間仕切膜の一部を切欠した説明図、図３はフランジパッキンの説明図、図４は中空乾式防火区画に本発明に係る措置具を取り付けた状態の説明図、図５は図４において、Ａ−Ａ矢視方向から見たフランジの正面図、図６は配管及びケーブルを防火措置した状態の説明図である。
【００１５】
先ず、図１において、１は措置具本体であって、この措置具本体１は、金属製の措置具要素ＡとＢから成り、措置具要素ＡとＢは、夫々次のような構成である。Ａは、中央に透穴２ａを開口したフランジ２から後方に向けてスリーブ２ｂを形成し、このスリーブ２ｂの先端２ｃに熱膨張性部材２ｄを取り付けた構成である。前記熱膨張性部材２ｄは、図２に示すように、胴体の中間に段部２ｅを形成し、下段２ｆのところまでスリーブ２ｂの先端２ｃ内に挿入し、上段２ｇをスリーブ２ｂの先端２ｃから露出させると共に内部の先端側に中間仕切膜２ｈを一体に形成した構成である。２ｉはフランジ２の穴２ａを閉塞するように取り付けられた膜体、２ｊはフランジ２に設けられたボルト孔である。
【００１６】
一方、措置具要素Ｂは、中央に透穴３ａを開口したフランジ３から後方に向けてスリーブ３ｂを形成し、このスリーブ３ｂの先端３ｃの内側にＯリング３ｄを取り付けた構成である。３ｅはフランジ３の穴３ａを閉塞するように取り付けられた膜体、３ｆはフランジ３に設けられたボルト孔である。
４はフランジ２と３を連結するためのボルト軸、４ａはボルト軸４の両端に形成したねじ部、５はナット、６は図３に示すようなドーナツ状の熱膨張性パッキン、６ａはパッキン６において、前記ボルト軸４に形成したねじ部４ａの挿入孔である。
【００１７】
上記構成の措置具１を中空乾式防火区画に取り付けた状態を示したのが図４であって、防火措置を行う場合には、壁材８、８ａに円孔カッター等を用いて貫通穴９、９ａを穿孔し、次にこの貫通穴９、９ａ内にスリーブ２ｂ、３ｂを両側から挿入して中間で嵌合させながら壁材８、８ａの外に措置具要素Ａ、Ｂのフランジ２、３を当接させる。この時、フランジ２、３と壁材８、８ａとの間には、熱膨張性パッキン６を介在させる。その上でフランジ２、３のボルト孔２ｊと３ｆ間にボルト軸４を通し、ねじ部４ｂにナット５をねじ込んで締めつけることにより、壁材８、８ａを挟むようにして措置具本体１を防火区画の貫通穴９、９ａに取り付ける。
配管等を貫通させる場合には、図６に示すように措置具要素Ａ、Ｂに設けた膜体２ｉ、３ｅ及び中間仕切膜２ｈを配管１０、ケーブル１１の外径に合わせてカットし、このカットした穴内に配管１０及びケーブル１１を通すことにより防火措置を終る。
【００１８】
万一火災等が発生した場合には、中間の熱膨張性部材２ｄがスリーブ２ｂ、３ｂの中間で熱膨張してスリーブ２ｂ、３ｂ内を閉塞し、更に中間の仕切膜２ｈが熱膨張することにより、措置具本体１内は完全に密閉され、防火区画を経由して隣室等に火災や煙、有毒ガス等が流入するのを防ぐことになる。
なお、本実施例において、膜体２ｉ、３ｅは熱膨張性部材で形成されているが、この膜体２ｉ、３ｅは熱膨張性を有しない、ゴム或いはプラスチック等でも良い。
【００１９】
【実施例２】
本実施例２は、図７に示すように措置具要素ＡとＢのフランジ１００、１０１から延長したスリーブ１０２、１０３部分に螺旋条１０４、１０５を形成し、この螺旋条１０４、１０５を貫通穴内において螺合させることによりスリーブ１０２、１０３を連結し、螺旋条１０４、１０５の締め付けにより壁材を挟み込んで固定する方式であって、請求項３に記載の発明に対応するものである。
【００２０】
この図７において、１０６、１０７はフランジ１００、１０１の処において、スリーブ１０２、１０３内を閉塞するようにして取り付けられた遮閉膜体であって、この膜体１０６、１０７をカットして配管等を通し、この膜体１０６、１０７でスリーブ内を閉塞する。
１０８はスリーブ１０３内に取り付けられた熱膨張性部材であって、この熱膨張性部材１０８の先端側は、スリーブ１０３から突出して露出部１０８ａとなっており、火災発生時に熱膨張してスリーブ１０３内を閉塞し、併せて露出部１０８ａでスリーブ１０２と１０３間の入口隙間を閉塞する。
なお、図７において、フランジ１００と１０１の裏面であって、壁材との間には、熱膨張性部材で製作されたパッキン１０９、１１０が装着されていて、防火区画火災発生時にはこのパッキン１０９、１１０の作用により煙等の侵入を防ぐものである。
【００２１】
【実施例３】
本実施例３は、図８（Ａ）（Ｂ）に示すように、措置具要素ＡとＢのフランジ２００、２０１からスリーブ２０２、２０３を延長して形成し、このスリーブ２０２、２０３を貫通穴内で嵌合し、スプリング２０５を有する締め付けバンド２０４を用いて、先ずスプリング２０５側の端を措置具要素Ａ側に留め、バンド２０４側の端を要素Ｂ側に留めることにより、要素ＡとＢを連結し、上記締め付けバンド２０４とスプリング２０５の作用で壁材を挟むようにして措置具要素ＡとＢを防火区画の貫通穴内に取り付けるもので、請求項９に記載の発明に対応するものである。
【００２２】
この図８において、２０６、２０７はフランジ２００、２０１の処において、スリーブ２０２、２０３内を閉塞するようにして取り付けられた膜体であって、この膜体２０６、２０７は熱膨張性部材で製作されており、中央をカットして配管等を通し、この膜体２０６、２０７でスリーブ２０２、２０３内を閉塞する。なお、膜体２０６、２０７には、あらかじめ穴、又はスリットを形成しておいてもよい。
２０８は措置具要素Ｂ側のフランジ２０１を防火区画の壁材に固定するための蝶ねじである。
なお、図８において、（Ａ）図と（Ｂ）図の違いは、スリーブ２０２と２０３の嵌合が内か外の違いのみである。
【００２３】
【実施例４】
本実施例４は、防火区画にあけた貫通穴内に防火措置を施したスリーブを取り付け、このスリーブ内に配管（ケーブル）を挿入し、この配管は別途スリーブ内において防火措置具を用いて防火措置する請求項１０に記載の発明の実施例であって、図９（Ａ）（Ｂ）にその構造と措置例を示す。
スリーブ本体は、スリーブ要素ＡとＢに分割されていて、一方のスリーブ要素Ａは、金属製のフランジ３００の内側にスリーブ３０２を突出させると共にフランジ３００の内側の面に熱膨張性部材で成形した熱膨張パッキン３０４を取り付け、スリーブ３０２の外表面に金属弾性板で作られた返し３０７を取り付けた構成である。
【００２４】
一方、スリーブ要素Ｂは、金属製のフランジ３０１の内側にスリーブ３０３を突出させると共にフランジ３０１の内側に熱膨張性部材で成形した熱膨張パッキン３０５を取り付け、スリーブ３０３の外表面に金属弾性板で作られた返し３０８を取り付け、更にスリーブ３０３の先端側の外表面に熱膨張性部材で成形された熱膨張パッキン３０６を装着した構成である。又、スリーブ３０３の内側には、防火措置具３１０が（ドーナツ状）に取りつけられている。
上記構成のスリーブは、図９（Ｂ）に示すように、防火区画に設けた貫通穴内に両側からスリーブ要素Ａ、Ｂを差し込んで中空部内でスリーブ３０２と３０３を嵌合させることにより連結する。この時、熱膨張パッキン３０６を取り付けたスリーブ３０３側が内側になるように嵌合し、フランジ３００、３０１を防火区画に夫々圧接したとき、貫通穴内を通るときに寝ていた返し３０７、３０８が防火区画の中空部内においてフリーとなり、斜めに起立する。この結果、スリーブ要素Ａ、Ｂは貫通穴内に固定されて、外れなくなる。返し３０７、３０８は種々の壁厚に対応できる様、２〜３段でスリーブに取りつけられている。
次に、配管３０９をスリーブ内及び防火措置具３１０に挿入し、措置を終わる。
本実施例４と実施例１〜３との相違は、スリーブ要素ＡとＢを返し３０７、３０８で貫通穴内に固定している点である。
【００２５】
【発明の効果】
本発明は以上の如き構成と作用により、次の効果を奏する。
１．中空乾式防火区画において、貫通穴内に別にスリーブを取り付けずに防火措置を施すことができるため、コストがかからず措置作業も確実かつ簡単になる。
２．措置具又はスリーブは、要素ＡとＢに分割し、壁材の厚みに応じて長さ調整が可能であると共に貫通穴内に両側から要素ＡとＢのスリーブを挿入し、内部でスリーブを連結し、要素ＡとＢはボルトとナットあるいは螺旋条あるいはスプリング付のバンドあるいは返しを用いて貫通穴内に固定するため、施工が簡単である。
３．フランジの入口に膜体を取り付けたことにより内部の目隠しにもなるので、モルタルレス、パテレスの施工が可能である。
４．膜体及び仕切膜で貫通穴内の配管やケーブルをスリーブ内の中心部に保持することができる。
【図面の簡単な説明】
【図１】本発明に係る措置具の分解説明図。
【図２】熱膨張性部材の説明図。
【図３】熱膨張性パッキンの説明図。
【図４】中空防火区画に措置具を取り付けた状態の説明図。
【図５】Ａ−Ａ矢印方向から見た正面図。
【図６】配管とケーブルを防火措置した状態の説明図。
【図７】スリーブに螺旋条を形成した実施例２に示す措置具の説明図。
【図８】（Ａ）（Ｂ）スプリング付のバンドで措置具要素ＡとＢを連結した実施例３に示す措置具の説明図。
【図９】（Ａ）（Ｂ）防火区画貫通スリーブの構造と施工例の説明図。
【図１０】（Ａ）（Ｂ）従来の中空乾式防火区画貫通部の説明図。
【符号の説明】
１  防火措置具
Ａ、Ｂ  措置具本体
２、３  フランジ
２ｂ、３ｂ  スリーブ
２ｄ  熱膨張性部材
２ｈ、３ｅ  膜体
４  ボルト軸
５  ナット
１００、１０１フランジ
１０２、１０３、スリーブ
１０６，１０７膜体
【図１】
2005027684.tif 000003
【図２】
2005027684.tif 000004
【図３】
2005027684.tif 000005
【図４】
2005027684.tif 000006
【図５】
2005027684.tif 000007
【図６】
2005027684.tif 000008
【図７】
2005027684.tif 000009
【図８】
2005027684.tif 000010
【図９】
2005027684.tif 000011
【図１０】
2005027684.tif 000012